(57)【特許請求の範囲】
【請求項１】
第１の無線装置がトリガされたか否かを判定し、前記第１の無線装置がトリガされた場合、前記第１の無線装置が、所定のペアリングアドレスによりペアリング伝送チャネルを確立し、前記ペアリング伝送チャネルを介して第１のＲＦ送信強度で第１のペアリング信号を第２の無線装置へ送信する工程と、
前記第２の無線装置が前記第１のペアリング信号を受信したか否かを判定し、前記第２の無線装置が前記第１のペアリング信号を受信した場合、前記第２の無線装置が、前記ペアリング伝送チャネルを介して第１の応答信号を前記第１の無線装置へ伝送し、ペアリングモードを起動して第１の通信アドレスを生成し、前記第１の通信アドレスを前記第２の無線装置の先入れ先出しバッファに設定し、前記第２の無線装置のＲＦ送信強度を第２のＲＦ送信強度に設定する工程と、
前記第１の無線装置が再びトリガされたか否かを判定し、前記第１の無線装置が再びトリガされた場合、前記第１の無線装置が、前記第１のＲＦ送信強度で前記ペアリング伝送チャネルを介して前記第１のペアリング信号を前記第２の無線装置へ伝送する工程と、
前記第２の無線装置が前記第１のペアリング信号を再び受信したか否かを判定し、前記第２の無線装置が第１のペアリング信号を再び受信した場合、前記第２の無線装置が、前記第２のＲＦ送信強度で前記ペアリング伝送チャネルを介して第２の応答信号を前記第１の無線装置へ伝送し、前記第１の通信アドレスを記憶して前記ペアリングモードを終了する工程と
を含むことを特徴とする無線装置のペアリング方法。
【請求項２】
前記第１のＲＦ送信強度は前記第１の無線装置の最小ＲＦ送信強度であり、
前記第２のＲＦ送信強度は前記第２の無線装置の最小ＲＦ送信強度であることを特徴とする請求項１に記載の無線装置のペアリング方法。
【請求項３】
前記第１の無線装置がトリガされたか否かを判定する工程は、
前記第１の無線装置が前記第２の無線装置の前記第１の応答信号を受信していない場合、前記第１の無線装置から前記第１のペアリング信号を伝送した回数が再試行上限値に到達したか否かを判定する工程と、
前記第１の無線装置から前記第１のペアリング信号を伝送した回数が前記再試行上限値に到達していない場合、前記第１の無線装置が前記第１のペアリング信号を前記第２の無線装置へ再度伝送する工程と、
前記第１の無線装置から前記第１のペアリング信号を伝送した回数が前記再試行上限値に到達した場合、前記第１の無線装置は前記第１のペアリング信号の前記第２の無線装置への伝送を停止し、前記ペアリングアドレスを前記ペアリング伝送チャネルにおける複数のデータアドレスのうちの一つである所定のデータアドレスに復帰させ、前記第１の無線装置がトリガされるのを待機する工程と
を含むことを特徴とする請求項１に記載の無線装置のペアリング方法。
【請求項４】
前記第２の無線装置が前記第１のペアリング信号を受信したか否かを判定する工程は、
前記第２の無線装置が前記ペアリング伝送チャネルを確立する工程と、
前記第１の無線装置が前記第２の無線装置の前記第１の応答信号を受信した場合、前記第１の無線装置が、前記ペアリングアドレスを所定のデータアドレスに復帰させ、再びトリガされるのを待機する工程と、
前記第２の無線装置が前記第１のペアリング信号を完全に受信したか否かを判定する工程と、
前記第２の無線装置が前記第１のペアリング信号を完全に受信した場合、前記第１のペアリング信号が前記ペアリング伝送チャネルにおける前記ペアリングアドレスから伝送されたものであるか否かを判定する工程と、
前記第１のペアリング信号が前記ペアリング伝送チャネルにおける前記ペアリングアドレスから伝送されたものである場合、前記第２の無線装置が前記第１のペアリング信号を受信したと判定する工程と、
前記第２の無線装置が前記第１のペアリング信号を受信した場合、前記第１の通信アドレスを含む返信パケットを前記第２の無線装置の前記先入れ先出しバッファに設定する工程と
を更に含むことを特徴とする請求項１に記載の無線装置のペアリング方法。
【請求項５】
前記第２の無線装置が前記第１のペアリング信号を再び受信したか否かを判定する工程は、
前記第１の無線装置が前記第２の無線装置の前記第２の応答信号を受信した場合、前記第１の無線装置が、前記第２の無線装置の前記先入れ先出しバッファに設定した前記返信パケットを受信する工程と、
前記第１の無線装置が、前記返信パケットから前記第１の通信アドレスを取り出して記憶し、前記第１の通信アドレスにより第１の伝送チャネルを確立する工程と
を更に含むことを特徴とする請求項１に記載の無線装置のペアリング方法。
【請求項６】
前記第１の通信アドレスは伝送チャネルにおける複数のデータアドレスのうちの一つのデータアドレスであることを特徴とする請求項１に記載の無線装置のペアリング方法。
【請求項７】
前記第１の無線装置と前記第２の無線装置がペアリングを完成した後、前記第１の無線装置が、第３のＲＦ送信強度で前記第１の通信アドレスによりデータ信号を前記第２の無線装置へ伝送し、前記第２の無線装置が、第４のＲＦ送信強度で前記第１の通信アドレスによりデータ信号を前記第１の無線装置へ伝送し、
前記第３のＲＦ送信強度は、前記第１の無線装置の最大ＲＦ送信強度であり、
前記第４のＲＦ送信強度は、前記第２の無線装置の最大ＲＦ送信強度であることを特徴とする請求項１に記載の無線装置のペアリング方法。
【請求項８】
前記第１の無線装置はペアリングボタンを有しており、前記ペアリングボタンが押されると、前記第１の無線装置がトリガされて前記第１のペアリング信号が生成され、前記第１の無線装置が前記第１の応答信号を受信した後、前記ペアリングボタンが再び押されると、前記第１の無線装置が再びトリガされて前記第１のペアリング信号が生成されることを特徴とする請求項１に記載の無線装置のペアリング方法。
【請求項９】
前記第１の無線装置は、ペアリングボタンを有しており、前記ペアリングボタンが押されると、前記第１の無線装置がトリガされて前記第１のペアリング信号が生成され、前記第１の無線装置が前記第１の応答信号を受信した後、前記第１の無線装置が自動的に再びトリガされて前記第１のペアリング信号が生成されることを特徴とする請求項１に記載の無線装置のペアリング方法。
【請求項１０】
第３の無線装置がトリガされたか否かを判定し、前記第３の無線装置がトリガされた場合、前記第３の無線装置が、所定のペアリングアドレスにより前記ペアリング伝送チャネルを確立し、第５のＲＦ送信強度で前記ペアリング伝送チャネルを介して第２のペアリング信号を前記第２の無線装置へ伝送する工程と、
前記第２の無線装置が前記第２のペアリング信号を受信したか否かを判定し、前記第２の無線装置が前記第２のペアリング信号を受信した場合、前記第２の無線装置が、前記ペアリング伝送チャネルを介して前記第１の応答信号を前記第３の無線装置へ伝送し、前記ペアリングモードを起動し、第２の通信アドレスを生成して前記第２の無線装置の前記先入れ先出しバッファに設定し、前記第２の無線装置のＲＦ送信強度を前記第２のＲＦ送信強度に設定する工程と、
前記第３の無線装置が再びトリガされたか否かを判定し、前記第３の無線装置が再びトリガされた場合、前記第３の無線装置が、前記第５のＲＦ送信強度で前記ペアリング伝送チャネルを介して前記第２のペアリング信号を前記第２の無線装置へ伝送する工程と、
前記第２の無線装置が前記第２のペアリング信号を再び受信したか否かを判定し、前記第２の無線装置が前記第２のペアリング信号を再び受信した場合、前記第２の無線装置が、前記第２のＲＦ送信強度で前記ペアリング伝送チャネルを介して前記第２の応答信号を前記第３の無線装置へ伝送し、前記第２の通信アドレスを記憶し、前記ペアリングモードを終了する工程と
を更に含むことを特徴とする請求項１に記載の無線装置のペアリング方法。
【請求項１１】
前記第５のＲＦ送信強度は前記第３の無線装置の最小ＲＦ送信強度であることを特徴とする請求項１０に記載の無線装置のペアリング方法。
【発明の詳細な説明】
【技術分野】
【０００１】
本発明は、無線装置のペアリング方法（Method of Pairing Wireless Devices）に関し、特に無線装置がいつでもペアリング（pairing）を行うことができる方法に関するものである。
【背景技術】
【０００２】
無線通信は幅広い応用範囲で利用されている。例を挙げると、短距離でホストコンピューターと周辺装置（例えば、マウス、ヘッドホン、マイク、プリンターなど）との間の無線通信、或いは無線装置間のファイル転送（File transfer）などに利用されている。現在、例えばキーボード、マウス、ヘッドホン、スピーカー、プリンター、ノートパソコン、携帯電話、ファクスマシン、デジタルカメラなどの無線装置は、そのほとんどが特定の無線周波数（wireless radio frequency）をホストコンピューターとのペアリング通信の通信規格として使用するため、高い利便性を有している。
【０００３】
しかしながら、無線装置には使用に不便な点もある。無線キーボードとホストコンピューターのペアリングを例として説明すると、使用前にペアリング（登録）を行う必要がある。具体的に言えば、ホストコンピューターに無線キーボートをサーチさせるために、ホストコンピューターには無線キーボードを駆動するためのアプリケーションプログラムをプリインストールしておき、ユーザーはアプリケーションプログラムを起動してホストコンピューターと無線キーボードのアプリケーションのペアリングを行う必要がある。ユーザーは手間を掛けて無線キーボードを駆動するためのアプリケーションプログラムをインストールしたり無線装置を駆動するためのプログラムを設定したりする必要がある。つまり、従来の無線キーボードとホストコンピューターとのペアリング通信はユーザーにとって操作上の利便性があまり高いとは言えず、操作のステップに手間がかかるという欠点がある。
【０００４】
また、トランシーバー（送受信機ともいう）により無線キーボードとペアリングする場合もある。ユーザーは、トランシーバーをホストコンピューターにカップリングしておき、所定の時間内でトランシーバーのペアリングボタンと無線キーボードのペアリングボタンを押すことによって、トランシーバーに無線キーボードをサーチさせた後、ホストコンピューターにより無線キーボードを選択することでペアリング設定を終了する。しかしながら、この場合、ユーザーが所定の時間の経過後に無線キーボードのペアリングボタンとトランシーバーのペアリングボタンを押してしまったり、トランシーバーが所定の時間が経過しても無線キーボードとペアリング通信できなかったり、ユーザーがペアリングボタンを押す操作の分、操作ステップが増加してしまったりといった不具合や不便が生ずる恐れがある。
【０００５】
また、装置の操作中にユーザーがペアリングボタンを誤って押してしまうことを防ぐために、無線装置及びトランシーバーに設けられるペアリングボタンは小さくされる傾向がある。この場合、ユーザーがトランシーバーのペアリングボタンと無線装置のペアリングボタンを押す際に不便になる。
【０００６】
上述したように、無線装置を駆動するためのアプリケーションプログラムをインストールしたり、無線装置とペアリング通信を行うために無線装置を駆動するためのプログラムを設定したり、トランシーバーのペアリングボタンと無線装置のペアリングボタンを押したりといった手間を要していては、ユーザーのニーズを満足することはできない。そこで、無線装置間のペアリングの利便性を向上するように、如何にして無線装置間でアプリケーションプログラムを介することなく、ユーザーの所望に応じていつでも無線装置間のペアリング通信が可能な無線装置のペアリング方法を提供するかが注目されている。
【発明の概要】
【発明が解決しようとする課題】
【０００７】
本発明は、無線装置間でアプリケーションプログラムを介することなく、ユーザーの所望に応じていつでも無線装置間のペアリング通信が可能な無線装置のペアリング方法を提供することを課題とする。
【課題を解決するための手段】
【０００８】
本発明は、第１の無線装置がトリガされたか否かを判定し、第１の無線装置がトリガされた場合、第１の無線装置が所定のペアリングアドレスによりペアリング伝送チャネルを確立し、ペアリング伝送チャネルを介して第１のＲＦ送信強度で第１のペアリング信号を第２の無線装置へ送信する工程と、第２の無線装置が第１のペアリング信号を受信したか否かを判定し、第２の無線装置が第１のペアリング信号を受信した場合、第２の無線装置が、ペアリング伝送チャネルを介して第１の応答信号を第１の無線装置へ伝送し、ペアリングモードを起動して第１の通信アドレスを生成し、第１の通信アドレスを第２の無線装置の先入れ先出しバッファに設定し、第２の無線装置のＲＦ送信強度を第２のＲＦ送信強度に設定する工程と、第１の無線装置が再びトリガされたか否かを判定し、第１の無線装置が再びトリガされた場合、第１の無線装置が、第１のＲＦ送信強度でペアリング伝送チャネルを介して第１のペアリング信号を第２の無線装置へ伝送する工程と、第２の無線装置が第１のペアリング信号を再び受信したか否かを判定し、第２の無線装置が第１のペアリング信号を再び受信した場合、第２の無線装置が、第２のＲＦ送信強度でペアリング伝送チャネルを介して第２の応答信号を第１の無線装置へ伝送し、前記第１の通信アドレスを記憶してペアリングモードを終了する工程と、を含む無線装置のペアリング方法を提供する。
【０００９】
本発明の実施例において、前記第１のＲＦ送信強度は第１の無線装置の最小ＲＦ送信強度であり、前記第２のＲＦ送信強度は第２の無線装置の最小ＲＦ送信強度であってもよい。
【００１０】
また、第１の無線装置がトリガされたか否かを判定する工程は、第１の無線装置が第２の無線装置の第１の応答信号を受信していない場合、第１の無線装置から第１のペアリング信号を伝送した回数が再試行上限値に到達したか否かを判定する工程と、第１の無線装置から第１のペアリング信号を伝送した回数が再試行上限値に到達していない場合、第１の無線装置が第１のペアリング信号を第２の無線装置へ再度伝送する工程と、第１の無線装置から第１のペアリング信号を伝送した回数が再試行上限値に到達した場合、第１の無線装置が、第１のペアリング信号の第２の無線装置への伝送を停止し、ペアリングアドレスをペアリング伝送チャネルにおける複数のデータアドレスのうちの一つのである所定のデータアドレスに復帰させ、第１の無線装置がトリガされるのを待機する工程と、を含んでもよい。
【００１１】
また、第２の無線装置が第１のペアリング信号を受信したか否かを判定する工程は、第２の無線装置がペアリング伝送チャネルを確立する工程と、第１の無線装置が第２の無線装置の第１の応答信号を受信した場合、第１の無線装置が、ペアリングアドレスを所定のデータアドレスに復帰させ、再びトリガされるのを待機する工程と、第２の無線装置が第１のペアリング信号を完全に受信したか否かを判定する工程と、第２の無線装置が第１のペアリング信号を完全に受信した場合、第１のペアリング信号がペアリング伝送チャネルにおけるペアリングアドレスから伝送されたものであるか否かを判定する工程と、第１のペアリング信号がペアリング伝送チャネルにおけるペアリングアドレスから伝送されたものである場合、第２の無線装置が第１のペアリング信号を受信したと判定する工程と、第２の無線装置が第１のペアリング信号を受信した場合、第１の通信アドレスを含む返信パケットを第２の無線装置の先入れ先出しバッファに設定する工程と、を更に含んでもよい。
【００１２】
また、第２の無線装置が第１のペアリング信号を再び受信したか否かを判定する工程は、第１の無線装置が第２の無線装置の第２の応答信号を受信した場合、第１の無線装置が、第２の無線装置の先入れ先出しバッファに設定した返信パケットを受信する工程と、第１の無線装置が、返信パケットから第１の通信アドレスを取り出して記憶し、第１の通信アドレスにより第１の伝送チャネルを確立する工程と、を更に含んでもよい。
【００１３】
また、第１の無線装置はペアリングボタンを有しており、ペアリングボタンが押されると、第１の無線装置がトリガされて第１のペアリング信号が生成され、第１の無線装置が第１の応答信号を受信した後、ペアリングボタンが再び押されると、第１の無線装置が再びトリガされて第１のペアリング信号が生成されてもよい。
【００１４】
また、他の実施例において、第１の無線装置は、ペアリングボタンを有しており、ペアリングボタンが押されると、第１の無線装置がトリガされて第１のペアリング信号が生成され、第１の無線装置が第１の応答信号を受信した後、第１の無線装置が自動的に再びトリガされて第１のペアリング信号が生成されてもよい。
【発明の効果】
【００１５】
本発明に係る無線装置のペアリング方法によれば、ユーザーが所望に応じていつでも第１の無線装置のペアリングボタンを押すことによって、第１の無線装置が第１のＲＦ送信強度でペアリング伝送チャネルを介してペアリング信号を第２の無線装置へ伝送し、第２の無線装置が通信アドレスを選択して決定し、第１の無線装置が再びトリガされペアリング信号を生成してペアリング信号を第２の無線装置へ伝送し、第１の無線装置が第２の応答信号の返信パケットから通信アドレスを取得することになるため、無線装置間でいつでも迅速にペアリング通信を行うことが可能となる。
【図面の簡単な説明】
【００１６】
【図１】本発明の実施例に係る無線装置のペアリング方法が実施されるシステム構造の模式図を示すものである。
【図２−１】本発明の実施例に係る無線装置のペアリング方法のフローチャートを示すものである。
【図２−２】本発明の実施例に係る無線装置のペアリング方法のフローチャートを示すものである。
【図３−１】本発明の他の実施例に係る無線装置のペアリング方法における第１の無線装置の動作フローチャートを示すものである。
【図３−２】本発明の他の実施例に係る無線装置のペアリング方法における第１の無線装置の動作フローチャートを示すものである。
【図４】本発明の他の実施例に係る無線装置のペアリング方法における第２の無線装置の動作フローチャートを示すものである。
【図５】本発明の更なる他の実施例に係る無線装置のペアリング方法における第１の無線装置の一部の動作フローチャートを示すものである。
【図６】本発明の更なる他の実施例に係る複数の無線装置のペアリング方法が実施されるシステム構造の模式図を示すものである。
【発明を実施するための形態】
【００１７】
以下において、本明細書と図面に開示された本発明の実施形態は、本発明の技術内容をより分かりやすく説明し、本考案の理解を助けるための実施例を挙げたに過ぎず、本発明の範囲を限定するものではない。
【００１８】
（本発明の実施例に係る無線装置のペアリング方法）
図１は本発明の実施例に係る無線装置のペアリング方法が実施されるシステム構造の模式図を示すものである。図１に示すように、無線装置システム１は、無線装置２０と無線装置１０とを含む。無線装置２０はトランシーバー２０２を備える。無線装置１０は、トランシーバー１０２とペアリングボタン１０４とを備える。無線装置２０のトランシーバー２０２と無線装置１０のトランシーバー１０２は、無線伝送技術により信号を相互に送受信する。また、図１において、無線装置２０はホストコンピューターであり、無線装置１０は無線キーボートであるものとして示されているが、これらに限定されるものではない。例えば、無線装置２０はノートパソコン、携帯電話、タブレットコンピューター、又はその他の電子設備などであってもよい。一方、無線装置１０は、例えば無線マウス、無線ヘッドホン、無線スピーカー、プリンター、又はその他の無線装置などであってもよい。
【００１９】
また、他の実施例において、無線装置２０は複数の無線装置１０とそれぞれペアリング通信を行うことによって、各無線装置１０に無線周波数（Wireless Radio Frequency）（単にＲＦともいう）における各データアドレスにより無線装置２０と無線通信を行わせるようにしてもよい。ここでは、説明の便宜のために、本実施例に係る無線装置のペアリング方法は一つの無線装置２０と一つの無線装置１０との間に通信で行うことによって無線装置のペアリングを行うことを例として説明する。また、本実施例で説明する無線装置のシステム構造は例示に過ぎず、図１に示すものに限定されるものではない。
【００２０】
また、図１において、トランシーバー２０２は無線装置２０の内部に内蔵されているが、トランシーバー２０２はドングル（dongle）などの外付けの無線送受信機であってもよい。また、外付けの無線送受信機は無線装置２０におけるユニバーサル・シリアル・バス（Universal Serial Bus、ＵＳＢ）又はその他の伝送インタフェースにより無線装置２０に接続されていてもよい。また、図１において、トランシーバー１０２も無線装置１０の内部に内蔵されているが、トランシーバー１０２は無線装置１０に挿設される外付けの無線送受信機であってもよい。要するに、トランシーバー２０２とトランシーバー１０２は無線方式で信号を送受信できるものであればよい。また、本発明において、トランシーバー２０２とトランシーバー１０２の設置位置、接続方式、無線装置の外見に露出するか否かなどのについては特に限定されず、ニーズに応じて適当に設計可能である。
【００２１】
図１に示すように、無線装置１０にはペアリングボタン１０４が設けられている。ユーザーはペアリングボタン１０４により無線装置１０の動作を制御することができる。ユーザーがペアリングボタンを押すと、無線装置１０は第１のペアリング信号を生成してトランシーバー１０２により第１のペアリング信号を伝送する。また、ペアリングボタン１０４の類型は特に限定されておらず、例えば、ペアリングボタン１０４は押しボタン、回転つまみ（turn knob）、操作スティック、タッチパネル又はその他の適切な構造であってもよい。ユーザーがペアリングボタン１０４により第１のペアリング信号を直接的又は間接的に送信することができさえすれば、ニーズに応じてペアリングボタン１０４は自由に設計されうる。
【００２２】
図２−１及び図２−２は、本発明の実施例に係る無線装置のペアリング方法のフローチャートを示すものである。ユーザーは、無線装置２０と無線装置１０をペアリングしようとする場合、無線装置１０のペアリングボタン１０４を押すことによって、無線装置１０が生成した第１のペアリング信号により無線装置２０をトリガする。
【００２３】
具体的に言えば、ステップＳ２０２において、先ず、無線装置１０がトリガされたか否かを判定する。ペアリングボタン１０４が押された場合、無線装置１０がトリガされたと判断して、トランシーバー１０２は第１のペアリング信号を生成する。一方、ステップＳ２０２の判定結果が「いいえ」である場合、無線装置１０のペアリングボタン１０３が押されていないため、ペアリングボタン１０４が押されるまで待機する。これにより、ユーザーはいつでも無線装置１０のペアリングボタン１０４により無線装置１０と無線装置２０をペアリングすることができる。
【００２４】
ステップＳ２０２の判定結果が「はい」である場合、ステップＳ２０４へ進む。ステップＳ２０４において、無線装置１０のトランシーバー１０２は、所定のペアリングアドレスでペアリング伝送チャネルを確立し、第１のＲＦ送信強度でペアリング伝送チャネルを介して第１のペアリング信号をトランシーバー２０２へ送信する。
【００２５】
ペアリング伝送チャネルは無線周波数における所定の周波数範囲である。同じペアリング伝送チャネルにおいて、パケットに付加される識別子（例えば、パケットのヘッダーに付加される識別子）により、ペアリング伝送チャネルを、データ信号を伝送するための複数のデータアドレスに区分することができる。例えば、パケットが特定の識別子を含むことは、当該パケットが複数のデータアドレスのうちの一つのデータアドレスにより伝送することを表す。具体的には例えば、ペアリング伝送チャネルがデータ信号を伝送するための六つのデータアドレスを有する場合、本発明に係る無線装置のペアリング方法では、無線装置をペアリングするのに使用され得る六つのデータアドレスのうちの一つのデータアドレスが選定された後、残りの五つのデータアドレスはデータ信号を伝送するのに使用される。また、第１のＲＦ送信強度は、例えばトランシーバー１０２のＲＦ送信強度であってもよい。即ち、トランシーバー１０２は、所定の送信パワー（transmitted power）でペアリング要求信号である第１のペアリング信号を伝送する。
【００２６】
ステップＳ２０６において、無線装置１０におけるトランシーバー１０２が第１のＲＦ送信強度でペアリング伝送チャネルを介して第１のペアリング信号をトランシーバー２０２へ送信すると、無線装置２０は、トランシーバー２０２が第１のペアリング信号を受信したか否かを判定する。ステップＳ２０６の判定結果が「いいえ」である場合、第１のペアリング信号を受信するまで待機する。一方、ステップＳ２０６の判定結果が「はい」である場合、無線装置２０は、ペアリング伝送チャネルを介して第１の応答信号をトランシーバー１０２へ送信するようにトランシーバー２０２を制御する。
【００２７】
無線装置２０が第１のペアリング信号を確実に受信した後、ステップＳ２０８において、無線装置２０は、ペアリングモードを起動して、第１の通信アドレスを含む返信パケットを無線装置２０における先入れ先出しバッファに設定すると共に、第２のＲＦ送信強度を設定する。第１の通信アドレスとしては、データ信号を伝送するためのペアリング伝送チャネルにおける複数のデータアドレスの中から一つのデータアドレスが指定される。第２のＲＦ送信強度は例えばトランシーバー２０２のＲＦ送信強度であってもよい。即ち、トランシーバー２０２は、送信パワーによって第１の応答信号、第２の応用信号又はデータ信号を送信する。
【００２８】
ステップＳ２０８において、無線装置２０は、所定の複数のデータアドレス又はランダムで選択された複数のデータアドレスが使用されていないか否かを判定する。所定の複数のデータアドレス又はランダムで選択された複数のデータアドレスが全て使用されていない場合、無線装置２０は、所定の複数のデータアドレス又はランダムで選択された複数のデータアドレスのうちの一つのデータアドレスを第１の通信アドレスとして選択する。一方、所定の複数のデータアドレス又はランダムで選択された複数のデータアドレスの一部が既に使用されている場合、無線装置２０は、使用されていない残りのデータアドレスのうちの一つのデータアドレスを第１の通信アドレスとして選択する。
【００２９】
トランシーバー１０２が第１の応答信号を確実に受信した後、所定の時間が経過した場合、またはユーザーが無線装置１０のペアリングボタン１０４を再び押した場合、ステップＳ２１０へ進む。例えば、無線装置２０が第１の応答信号を送信した後、無線装置２０における指示ランプを点灯することによって、無線装置１０のペアリングボタン１０４を再び押すようにユーザーに指示する。
【００３０】
無線装置１０のトランシーバー１０２が第１の応答信号を受信した後、ステップＳ２１０において、無線装置１０が再びトリガされたか否かを判定する。無線装置１０のペアリングボタン１０４が再び押されたら、トランシーバー１０２をトリガして第１のペアリング信号を生成する。ステップＳ２１０の判定結果が「いいえ」である場合、無線装置１０のペアリングボタン１０４がまだ押されていないため、ペアリング１０４が押されるまで待機する。
【００３１】
ユーザーが無線装置１０のペアリングボタン１０４を再び押すと、無線装置１０と無線装置２０がペアリングモードに入る。このため、ユーザーが無線装置１０のペアリングボタン１０４を一度だけ誤って押してしまった場合でも、無線装置１０は、ペアリングアドレスを所定のデータアドレスに復帰させることによって、無線装置１０と装置装置２０との間がオフラインになってしまうことを防いでいる。また、所定のデータアドレスは、例えばペアリングを完成した無線装置１０と無線装置２０が使用する第１の通信アドレスであってもよく、無線装置１０が出荷される際に設定された後、まだ他の無線装置とのペアリングに使用されていないデータアドレスであってもよい。
【００３２】
一方、ステップＳ２１０の判定結果が「はい」である場合、ステップＳ２１２に進み、無線装置１０のトランシーバー１０２は第１のＲＦ送信強度でペアリング伝送チャネルを介して第１のペアリング信号をトランシーバー２０２へ伝送する。
【００３３】
ステップＳ２１２において、無線装置１０は、第１のペアリング信号を再び送信するようにトランシーバー１０２を制御する。また、ステップＳ２１２において、ステップＳ２０４で説明したペアリング伝送チャネルを介して、第１のペアリング信号を無線装置２０のトランシーバー２０２へ送信する。言い換えれば、実際には、無線装置１０は第１のペアリング信号を送信する動作を二回実行する。一回目（ステップＳ２０４）において、無線装置１０が送信した第１のペアリング信号は主に、無線装置２０をトリガすることによって無線装置２０をペアリングモードに切り換えさせるためのものである。具体的には、無線装置２０のペアリングモードは、第１の通信アドレスを提供すること、及び、第２の応答信号を送信するための強度（例えば、最小の送信パワー又は放射強度など）を設定することを含む。また、本発明はこれらに限定されるものではなく、無線装置２０のペアリングモードは、例えばペアリング指示ランプを点灯させることなどを含むようにしてもよい。当業者はペアリングモードを適宜に定義することができる。
【００３４】
無線装置１０が第１のペアリング信号を再び送信した後、ステップＳ２１４において、無線装置２０は、再び送信された第１のペアリング信号を受信したか否かを判定する。再び送信された第１のペアリング信号を受信していない場合、無線装置２０は無線装置１０から第１のペアリング信号が送信されるのを待機する。一方、再び送信された第１のペアリング信号を受信した場合、無線装置２０はステップＳ２１４を実行する。
【００３５】
ステップＳ２１４において、無線装置２０は、トランシーバー２０２が第１のペアリング信号を受信したか否かを判定する。ステップＳ２１４の判定結果が「いいえ」である場合、無線装置２０は、第１のペアリング信号でトリガされるまで待機する。一方、ステップＳ２１４の判定結果が「はい」である場合、無線装置２０は、第２のＲＦ送信強度で、ペアリング伝送チャネルを介して第２の応答信号をトランシーバー１０２へ伝送するようにトランシーバー２０２を制御する。この第２の応答信号と、ステップＳ２０６における第１の応答信号との相違点は、第２の応答信号は、ペアリングを行うために第１の通信アドレスを使用するように、無線装置１０と無線装置２０とに指示するものであることにある。
【００３６】
無線装置２０は、伝送チャネルにおける使用されていない複数のデータアドレスのうちの一つのデータアドレスを、無線装置１０と無線装置２０がペアリングを完成した後の第１の通信アドレスとして選択し、当該第１の通信アドレスをトランシーバー２０２の先入れ先出しバッファに設定する。また、無線装置２０が第１のペアリング信号を再び受信したら、トランシーバー２０２の先入れ先出しバッファは、第２の応答信号を無線装置１０のトランシーバー１０２へ伝送する。第２の応答信号は、第１の通信アドレスを有する返信パケットを含む。
【００３７】
ステップＳ２１６において、無線装置２０と無線装置１０との間の連結（ペアリング）が既にできているため、第１の通信アドレス（例えば、無線装置１０が使用しうるデータアドレスなど）を無線装置２０のメモリ（例えば、キャッシュメモリ又はその他の適当な記憶ユニットなど）に記憶することができる。また、ステップＳ２１６で説明したように、無線装置２０は、ペアリングモードをデータ伝送モードに切り換えるようにしてもよい。具体的には、無線装置２０のデータ伝送モードは、次のデータ信号を送信する際の送信強度を設定する（例えば、最大の送信パワー若しくは通常の送信パワー）ことを含むようにしてもよいが、これに限定されるものではない。
【００３８】
ステップＳ２１８において、無線装置１０が第２の応答信号を受信したか否かを判定する。無線装置１０が第２の応答信号を確実に受信した後、ステップＳ２２０を実行する。具体的に言えば、無線装置１０は、無線装置２０からの第２の応答信号を受信することにより、無線装置２０の先入れ先出しバッファに記憶された第１の通信アドレスを含む返信パケットを受信することになる。無線装置１０は、この返信パケットから第１の通信アドレスを取り出して記憶し、当該第１の通信アドレスにより第１の伝送チャネルを確立する。
【００３９】
以上により、無線装置１２と無線装置１０との間のペアリングを行うフローチャートが完了する。最終的には、ステップＳ２２０において、無線装置１０は、第２の応答信号を受信することによって、無線装置２０が選択した第１の通信アドレスを把握することができ、無線装置２０において、データ信号の伝送を行う準備が完成したことを把握することができる。これにより、無線装置１０は、当該把握に応じて、データ信号を送信するための強度を設定する（例えば、最大の送信パワー又は通常の送信パワーに調整する）ことができるため、上述のデータアドレスにより無線装置２０とのデータ信号の伝送を行うことができる。
【００４０】
（本発明の他の実施例に係る無線装置のペアリング方法）
図１、図３−１、図３−２、図４を参照しながら、無線装置２０と無線装置１０のフローチャートを詳しく説明する。図３−１と図３−２は本発明の他の実施例に係る無線装置２０の動作フローチャートを示すものである。図４は本発明の他の実施例に係る無線装置１０の動作フローチャートを示すものである。
【００４１】
先ず、無線装置１０はハイバーネート（Hibernate）状態又はスタンバイ(Standby)状態にある。この状態から、ユーザーが無線装置１０のペアリングボタン１０４を押すと、無線装置１０はトリガされたか否かを判定する（図３−１のステップＳ３０２）。無線装置１０のペアリングボタン１０４が押されてトリガされた場合、トランシーバー１０２は第１のペアリング信号を生成する。続いて、無線装置１０のトランシーバー１０２は、所定のペアリングアドレスによりペアリング伝送チャネルを確立し、第１のＲＦ送信強度でペアリング伝送チャネルを介して第１のペアリング信号をトランシーバー１０２へ伝送する。ここで、第１のＲＦ送信強度は無線装置１０の最小のＲＦ送信強度である（ステップＳ３０４）。
【００４２】
続いて、無線装置１０はインタラプト（Interrupt）信号の発生を待機する（ステップＳ３０６）。無線装置１０のトランシーバー１０２はＲＦチップを備える。トランシーバー２０２が第１の応答信号をトランシーバー１０２へ送信すると、トランシーバー１０２のＲＦチップは、第１の応答信号を受信して内部処理を行うことによって、インタラプト信号を生成する。無線装置１０は第１の応答信号（インタラプト信号）を受信した後、ステップＳ３１４における判定を行う。
【００４３】
より詳細には、トランシーバー２０２がトランシーバー１０２から伝送された第１のペアリング信号を受信した場合、トランシーバー２０２は、トランシーバー２０２が既に第１のペアリング信号を受信した旨をトランシーバー１０２に知らせるように、第１の応答信号をトランシーバー１０２へ伝送する。トランシーバー１０２がトランシーバー２０２から伝送された第１の応答信号を受信した場合、無線装置１０はインタラプト信号を生成した後、ステップＳ３１４の判定を行う。ステップＳ３１４において、無線装置１０は、信号が第１の通信アドレスを有する返信パケットであるか否かを判定する。ステップＳ３１４の判定結果が「いいえ」である場合、無線装置１０はステップＳ３１２を実行し、第３のＲＦ送信強度を設定し、ペアリングボタン１０４が再び押されるまで待機する。
【００４４】
また、無線装置１０が、トランシーバー１０２がトランシーバー２０２から伝送された第１の応答信号をまだ受信していないと判定した場合、無線装置１０のトランシーバー１０２は、ステップＳ３０８とステップＳ３１０を実行し、無線装置１０は、第１のペアリング信号を再度伝送するようにトランシーバー１０２を制御する。
【００４５】
より詳しく説明すると、無線装置１０は、トランシーバー１０２から第１のペアリング信号を伝送した回数が再試行上限値に到達したか否かを判定する。ステップＳ３０８の判定結果が「いいえ」である場合、即ちトランシーバー１０２から第１のペアリング信号を伝送した回数が再試行上限値に到達していない場合、トランシーバー１０２は第１のペアリング信号を無線装置１０へ再度伝送する。一方、ステップＳ３０８の判定結果が「はい」である場合、ステップＳ３１０を実行する。トランシーバー１０２から第１のペアリング信号を伝送した回数が再試行上限値に到達した場合、トランシーバー１０２は第１のペアリング信号を無線装置１０へ伝送することを中止する。
【００４６】
ステップＳ３１０において、無線装置１０は、トランシーバー１０２が第１のペアリング信号を伝送することを中止したか否かを判定する。ステップＳ３１０の判定結果が「いいえ」である場合、ステップＳ３０６へ戻り、無線装置１０はインタラプト信号の発生を待機する。一方、ステップＳ３１０の判定結果が「はい」である場合、トランシーバー１０２は第１のペアリング信号をトランシーバー２０２へ伝送することを中止し、ステップＳ３１２を実行する。ステップＳ３１２において、無線装置１０のトランシーバー１０２は第３のＲＦ送信強度を設定する。ここで、第３のＲＦ送信強度は無線装置１０の最大のＲＦ送信強度である。
【００４７】
また、ステップＳ３１２において、無線装置１０は、ペアリングアドレスを所定のデータアドレスに復帰させ、トリガされるまで待機する。この所定のデータアドレスは、伝送チャネルにおける複数のデータアドレスのうちの一つのデータアドレスである。これにより、ペアリングを完成した無線装置１０と無線装置２０がデータ伝送を行う場合、ユーザーが無線装置１０のペアリングボタン１０４を誤って押してしまっても、無線装置１０と無線装置２０のペアリングをオフラインさせることなく、無線装置１０は依然として所定のデータアドレスにより無線装置２０とデータ伝送を行う。また、所定のデータアドレスは、例えばペアリングを完成した無線装置１０と無線装置２０が使用する第１の通信アドレスであってもよく、無線装置１０が出荷する際に設定された後、まだ他の無線装置とペアリングに使用されていないデータアドレスであってもよい。
【００４８】
ここで、ステップＳ３０８及びステップＳ３１０について詳細に説明する。無線装置１０がステップＳ３０８を実行する時、トランシーバー１０２からペアリング信号を伝送した回数が必ずしも再試行上限値に到達するとは限らないため、無線装置１０はトランシーバー１０２がペアリング信号を伝送した回数を判定する必要がある。一方、無線装置１０がステップＳ３１０を実行する時、トランシーバー１０２からペアリング信号を伝送した回数が再試行上限値までに既に到達しているため、無線装置１０は、トランシーバー１０２がペアリング信号を伝送することを中止したか否かを判定する。ステップＳ３１０の判定結果が「はい」である場合、無線装置１０は、ペアリング信号を伝送することを中止する。
【００４９】
ここで図４を用いて無線装置２０の動作について説明する。無線装置２０のトランシーバー２０２が第１のペアリング信号をまだ受信していない場合、無線装置２０はインタラプト信号の発生を待機する（ステップＳ４００）。一方、無線装置２０のトランシーバー２０２は第１のペアリング信号を受信した場合、ステップＳ４０２を実行する。また、無線装置２０のトランシーバー２０２はＲＦチップを備える。トランシーバー１０２が第１のペアリング信号をトランシーバー２０２へ伝送すると、トランシーバー２０２のＲＦチップは、第１のペアリング信号を受信して内部処理を行うことによって、インタラプト信号を生成する。無線装置２０は、第１のペアリング信号（インタラプト信号）を受信した後、ステップＳ４０２を実行する。
【００５０】
ステップＳ４０２の判定結果が「いいえ」である場合、無線装置２０は、無線装置１０からのインタラプト信号を待機する（ステップＳ４００）。無線装置２０はトランシーバー１０２が第１のペアリング信号を確実に受信したと判定した場合（ステップＳ４０２）、無線装置２０は第１のペアリング信号がペアリング要求信号であるか否かを判定する（ステップＳ４０４））。続いて、無線装置２０は、第１のペアリング信号がペアリング伝送チャネルにおけるペアリングアドレスであるか否かを判定する（ステップＳ４０６）。ステップＳ４０６の判定結果が「いいえ」である場合、無線装置２０は第１のペアリング信号がデータ信号であるか否かを判定する（ステップＳ４１４）。
【００５１】
無線装置２０はペアリング信号がペアリング伝送チャネルにおけるペアリングアドレスではないと判定した場合、無線装置２０は、受信した信号が誤動作による信号であると判定し、インタラプト信号を再び待機する（ステップＳ４００）。一方、ペアリング信号がペアリング伝送チャネルにおけるペアリングアドレスであると判定した場合、無線装置２０は、ペアリングモードが起動されたか否かを判定する（ステップＳ４０８）。
【００５２】
また、本実施例に係る無線装置２０のペアリングモードの初期設定は「オフ」である。トランシーバー１０２が第１のペアリング信号をトランシーバー１０２へ伝送した場合、無線装置２０は、ペアリングモードを起動し、ペアリングモードを「オフ」から「オン」に切り換える（ステップＳ４１０）。トランシーバー１０２が第１のペアリング信号をトランシーバー１０２へ再び伝送した場合、無線装置２０はペアリングモードを起動し、ペアリングモードを「オン」から「オフ」に切り替える（ステップＳ４１２）。即ち、無線装置２０のペアリングモードは初期設定に復帰する。また、本実施例に係る無線装置２０のペアリングモードの初期設定は例示に過ぎず、図４に限定されるものではない。
【００５３】
無線装置２０のペアリングモードの初期設定が「オフ」である場合、ステップＳ４０８の判定結果は「いいえ」になる。ステップＳ４１０において、無線装置２０はペアリングモードを起動し、ペアリングモードを「オフ」から「オン」に切り換える。無線装置２０は、第１の通信アドレスを含む返信パケットを無線装置２０の先入れ先出しバッファに設定する。また、無線装置２０は、第２のＲＦ送信強度としてトランシーバー２０２のＲＦ送信強度を設定する。ここで、第２のＲＦ送信強度は無線装置２０の最小のＲＦ送信強度である。
【００５４】
また、第２のＲＦ送信強度は、例えばトランシーバー２０２の最小のＲＦ送信強度であってもよい。即ち、トランシーバー２０２は最小の送信パワーで第２の応答信号を送信する。言い換えれば、トランシーバー１０２がトランシーバー２０２の所定の距離内に位置すると共に、ユーザーが無線装置１０のペアリングボタン１０４を押す条件を満たすと、無線装置２０のトランシーバー２０２はトランシーバー１０２から送信した第１のペアリング信号を受信することができる。即ち、トランシーバー１０２とトランシーバー２０２との間の距離が所定の距離を越えると、トランシーバー１０２とトランシーバー２０２は信号を有効に伝送することができないため、無線装置２０と無線装置１０はペアリングを行うステップを実行することができない。具体的に言えば、ある空間で複数の無線装置２０（例えばホストコンピューターなど）があり、且つトランシーバー１０２が最小の送信パワーで第１のペアリング信号を送信しないと、無線装置１０（例えば無線キーボードなど）に複数の無線装置２０（例えばホストコンピューターなど）と同時にペアリングさせることになってしまうため、好ましい使用方式ではない。
【００５５】
また、第１のＲＦ送信強度の強さは、トランシーバー２０２とトランシーバー１０２との間の距離に関連がある。第１のＲＦ送信強度が強ければ強いほど、トランシーバー２０２はより遠い距離からトランシーバー１０２が伝送する信号を受信することができる。一方、トランシーバー１０２のＲＦ送信強度を最小のＲＦ送信強度として設定すると、トランシーバー１０２は短い距離でトランシーバー２０２とペアリングすることになるため、他の無線装置による誤作動を防ぐことができる。言い換えれば、トランシーバー２０２とトランシーバー１０２は最小の送信パワーで第１のペアリング信号と第２の応答信号をそれぞれ伝送する場合、近接し合う二つの無線装置のみがペアリングを行いうるため、特定の空間で一対一の無線ペアリングを行うことを実現できる。
【００５６】
より具体的には、トランシーバー２０２は、例えば無線装置２０のユニバーサル・シリアル・バス（ＵＳＢ）に挿設される無線周波数送受信機であってもよい。無線装置１０のトランシーバー１０２とトランシーバー２０２との距離が例えば４０ｃｍ以内である場合、無線装置１０は、第１のペアリング信号を無線装置２０のトランシーバー２０２へ有効に伝送することができる。無線装置２０のトランシーバー２０２が第１のペアリング信号を受信すると、無線装置２０は、第２の応答信号をトランシーバー１０２のみへ有効に伝送できるように、トランシーバー２０２の送信パワーを最小の送信パワーに設定する。また、トランシーバー２０２とトランシーバー１０２の最小の送信パワーは必ずしも同じとは限らない。例えば、トランシーバー２０２は４０ｃｍ距離内にあるトランシーバー１０２に信号を有効に受信させることができ、トランシーバー１０２は３０ｃｍ距離内にあるトランシーバー２０２に信号を有効に受信させることができるようにしてもよい。
【００５７】
ユーザーが無線装置１０のペアリングボタン１０４を再び押すと、無線装置１０は再びトリガされたか否かを判定する（ステップＳ３０２）。無線装置１０のペアリングボタン１０４が再び押されてトリガされた場合、トランシーバー１０２は第１のペアリング信号を生成する。続いて、無線装置１０のトランシーバー１０２は、第１のＲＦ送信強度でペアリング伝送チャネルを介して第１のペアリング信号をトランシーバー２０２へ伝送する。ここで、第１のＲＦ送信強度は無線装置１０の最小のＲＦ送信強度である（ステップＳ３０４）。
【００５８】
トランシーバー１０２が第１のペアリング信号を無線装置２０のトランシーバー２０２へ伝送した後、無線装置２０はステップＳ４００とステップＳ４０８を実行する。ステップＳ４００とステップＳ４０８については既に説明したため、ここではその説明を省略する。無線装置２０がステップＳ４０８の判定を行い、ペアリングモードが「オン」であると判定すると、ステップＳ４１２を実行する。ステップＳ４１２において、無線装置２０はペアリングモードを起動し、ペアリングモードを「オン」から「オフ」に切り換える。無線装置２０は、第１の通信アドレスをメモリに記憶し、第４のＲＦ送信強度としてトランシーバー２０２のＲＦ送信強度を設定する。ここで、第４のＲＦ送信強度は無線装置２０の最大のＲＦ送信強度である。続いて、無線装置２０はペアリングモードを終了する。
【００５９】
また、無線装置２０のトランシーバー２０２が無線装置１０のトランシーバー１０２から伝送された第１のペアリング信号を受信した後、トランシーバー２０２はペアリング伝送チャネルを介して第２の応答信号を無線装置１０のトランシーバー１０２へ伝送する。無線装置１０は、無線装置２０からの第２の応答信号を受信することで、無線装置２０の先入れ先出しバッファに設定された第１の通信アドレスを含む返信パケットを受信することになる。無線装置１０は、この返信パケットから第１の通信アドレスを取り出して記憶し、第１の通信アドレスにより第１の伝送チャネルを確立する。
【００６０】
より詳細には、無線装置１０はトランシーバー１０２がトランシーバー２０２から伝送された第２の応答信号を受信したと判定した場合、無線装置１０はインタラプト信号を生成し、ステップＳ３１４の判定を行う。ステップＳ３１４において、無線装置１０は受信した信号が第１の通信アドレスを有する返信パケットであるか否かを判定する。ステップＳ３１４の判定結果が「はい」である場合、ステップＳ３１６を実行する。ステップＳ３１６において、第１の通信アドレスを取得したか否かを判定する。無線装置１０が第２の応答信号を受信して返信パケットから第１の通信アドレスを取り出した場合、ステップＳ３１８において、無線装置１０は、第１の通信アドレスにより第１の伝送チャネルを確立し、第１の通信アドレスをメモリに記憶する。無線装置１０は、第３のＲＦ送信強度としてトランシーバー１０２のＲＦ送信強度を設定する。ここで、第３のＲＦ送信強度は無線装置１０の最大のＲＦ送信強度である。
【００６１】
また、無線装置１０はトランシーバー１０２がトランシーバー２０２から伝送された第２の応答信号をまだ受信していないと判定した場合、無線装置１０はステップＳ３０８とステップＳ３１０を実行して、第１のペアリング信号を伝送する動作を改めて行う。ステップＳ３０８とステップＳ３１０については既に説明したため、ここではその説明を省略する。
【００６２】
ステップＳ３２０において、無線装置２０と無線装置１０は通常動作モードに入り、無線装置２０と無線装置１０とのペアリングを完成したため、双方向でデータ信号を伝送することができる。無線装置２０は、第４のＲＦ送信強度で第１の伝送チャネルを介してデータ信号を無線装置１０へ伝送する。
【００６３】
また、トランシーバー１０２は、第３のＲＦ送信強度で第１の伝送チャネルを介してデータ信号を無線装置２０のトランシーバー２０２へ伝送する。無線装置２０はステップＳ４００〜ステップＳ４０４を実行する。無線装置２０は信号がペアリング要求信号ではないと判定した場合（ステップＳ４０４）、ステップＳ４１４に進み、無線装置２０は信号がデータ信号であるか否かを判定する。ステップＳ４０４の判定結果が「はい」である場合、第１の伝送チャネルを介してデータ伝送を行う（ステップＳ４１６）。一方、ステップＳ４０４の判定結果が「いいえ」である場合、ステップＳ４００に戻り、無線装置２０はインタラプト信号の発生を待機する。
【００６４】
（本発明の更なる他の実施例に係る無線装置のペアリング方法）
図１、図３−１、図３−２、図５を参照しながら、本発明の更なる他の実施例に係る無線装置のペアリング方法を説明する。図５は本発明の更なる他の実施例に係る無線装置のペアリング方法の一部の動作フローチャートを示すものである。図５に示す無線装置１０の動作フローチャートと図３−１及び図３−２に示す無線装置１０の動作フローチャートとの相違点は、図５においては、無線装置１０のペアリングボタン１０４が一回押されただけで、無線装置１０のトランシーバー１０２が第１のペアリング信号を二回伝送することにある（図３−１と図３−２においては、無線装置１０のペアリングボタン１０４が二回に押された場合に、第１のペアリング信号を生成する）。
【００６５】
より詳細には、ユーザーが無線装置２０と無線装置１０をペアリングしようとする場合、先ず無線装置１０のペアリングボタン１０４を押して、無線装置１０が生成した第１のペアリング信号により無線装置２０をトリガする。即ち、ステップＳ５０２において、先ず無線装置１０がトリガされたか否かを判定する。ペアリングボタン１０４が押されると、トランシーバー１０２は第１のペアリング信号を生成する。無線装置１０のトランシーバー１０２は、第１のＲＦ送信強度でペアリング伝送チャネルを介して第１のペアリング信号をトランシーバー２０２へ伝送する（ステップＳ５０４）。
【００６６】
続いて、無線装置１０はインタラプト信号の発生を待機する（ステップＳ５０６）。また、無線装置２０は、トランシーバー２０２が第１のペアリング信号を受信したか否かを判定する。トランシーバー２０２が第１のペアリング信号を受信した場合、無線装置２０２は、ペアリング伝送チャネルを介して第１の応答信号をトランシーバー１０２へ直ちに伝送するようにトランシーバー２０２を制御する。トランシーバー１０２は、第１の応答信号を受信すると共に、インタラプト信号を生成する。トランシーバー１０２がインタラプト信号を受信した後、ステップＳ５０８に進み、無線装置１０は受信した信号が第１の通信アドレスを有する返信パケットであるか否かを判定する。無線装置２０が一回目に伝送した第１の応答信号は第１の通信アドレスを有しない返信パケットであるため、無線装置１０はステップＳ５１０を実行し、受信した信号が第１の応答信号であるか否かを判定する。
【００６７】
無線装置１０は受信した信号が第１の応答信号であると判定した場合、無線装置１０は、自動的に再びトリガされて、第１のペアリング信号を生成するようにトランシーバー１０２を制御する。続いて、無線装置１０は、第１のＲＦ送信強度でペアリング伝送チャネルを介して第１のペアリング信号をトランシーバー２０２へ再び伝送する（ステップＳ５０４）。一方、無線装置１０は受信した信号が第１の応答信号ではないと判定した場合、ステップＳ５１２に進み、第３のＲＦ送信強度を設定する。無線装置１０は、ペアリングアドレスを所定のデータアドレスに復帰させる。
【００６８】
また、本発明において、トランシーバー１０２は、第１の応答信号を受信した後、自動的に再び第１のペアリング信号を生成して、第１のペアリング信号を無線装置２０のトランシーバー２０２へ伝送するようにしてもよい。若しくは、本発明において、無線装置１０のペアリングボタン１０４が押された場合、一回目の第１のペアリング信号と二回目の第１のペアリング信号を生成して、一回目の第１のペアリング信号を無線装置２０へ伝送した後、所定の時間を置いて二回目の第１のペアリング信号を無線装置２０へ伝送するようにしてもよい。本発明において、無線装置１０のペアリングボタン１０４が押された後、トランシーバー１０２が第１のペアリング信号を生成する方式と回数については特に限定しておらず、当業者はニーズに応じて適宜に設計すればよい。
【００６９】
続いて、トランシーバー１０２は、自動的に再び第１のペアリング信号を生成し、第１のペアリング信号を無線装置２０のトランシーバー２０２へ伝送する。無線装置２０のトランシーバー２０２が第１のペアリング信号を受信した後、無線装置２０は、第２のＲＦ送信強度でペアリング伝送チャネルを介して第２の応答信号を無線装置１０のトランシーバー１０２へ伝送する。トランシーバー１０２が第２の応答信号を受信した後、ステップＳ５０８の判定を行う。無線装置１０が受信した信号が、第１の通信アドレスを有する返信パケットである場合、ステップＳ５１４に進み、無線装置１０は、第１の通信アドレスを取得し、第１の通信アドレスにより第１の伝送チャネルを確立する。無線装置１０と無線装置２０は、第１の伝送チャネルを介してデータ信号を伝送する。
【００７０】
（本発明の更なる他の実施例に係る無線装置のペアリング方法）
本実施例において、無線装置２０と複数の無線装置１０、１２、１４のペアリング方法について説明する。図６は、本発明の更なる他の実施例に係る複数の無線装置１０、１２、１４、２０のペアリング方法が実施されるシステム構造の模式図を示すものである。無線装置システム１ａは、無線装置２０と、無線装置１０、１２、１４を含む。無線装置１０、１２、１４は、トランシーバー１０２、１２２、１４２とペアリングボタン１０４、１２４、１４４をそれぞれ備える。
【００７１】
無線装置２０と無線装置１０、１２、１４のペアリング方法が、上述の各実施例と類似する点は、無線装置２０は、固定のペアリングアドレスにより専属のペアリング伝送チャネルを確立し、第１の通信アドレス（若しくは第２の通信アドレスや第３の通信アドレスなど）を選択して決定した後、無線装置１０、１２、１４に知らせることにある。図１との相違点は、図６においては、無線装置１０、１２、１４は、ペアリングアドレスによりペアリング伝送チャネルを確立すると共に、第１の通信アドレス（若しくは第２の通信アドレスや第３の通信アドレスなど）によりペアリング伝送チャネルを第１の伝送チャネル（或いは第２の伝送チャネルや第３の伝送チャネルなど）に更新することにある。
【００７２】
無線装置２０と無線装置１０がペアリングを完成した後、無線装置２０は、無線装置１２、１４とペアリングを行うことができる。無線装置１２、１４は、例えば無線マウス、無線ヘッドホン、無線スピーカー、プリンター、又はその他の無線装置などであってもよく、特に限定されるものではない。無線装置１２と無線装置２０がペアリングを行う場合、無線装置１２がトリガされたか否かを判定する。無線装置１２がトリガされた場合、無線装置１２は、所定のペアリングアドレスによりペアリング伝送チャネルを確立し、第５のＲＦ送信強度でペアリング伝送チャネルを介して第２のペアリング信号を無線装置２０へ伝送する。
【００７３】
続いて、無線装置２０が第２のペアリング信号を受信したか否かを判定する。無線装置２０が第２のペアリング信号を受信した場合、無線装置２０は、ペアリング伝送チャネルを介して第１の応答信号を無線装置１２へ伝送し、ペアリングモードを起動し、第２の通信アドレスを無線装置２０の第２の先入れ先出しバッファに設定し、無線装置２０のＲＦ送信強度を第２のＲＦ送信強度として設定する。
【００７４】
続いて、無線装置１２が再びトリガされたか否かを判定する。無線装置１２が再びトリガされた場合、無線装置１２は、第５のＲＦ送信強度でペアリング伝送チャネルを介して第２のペアリング信号を無線装置２０へ伝送する。ここで、第５のＲＦ送信強度は無線装置１２の最小のＲＦ送信強度である。
【００７５】
続いて、無線装置２０が第２のペアリング信号を再び受信したか否かを判定する。無線装置２０が第２のペアリング信号を再び受信した場合、無線装置２０は、第２のＲＦ送信強度でペアリング伝送チャネルを介して第２の応答信号を無線装置１２へ伝送する。また、無線装置２０はペアリングモードを起動し、第２の通信アドレスを含む返信パケットを無線装置２０の先入れ先出しバッファに設定する。
【００７６】
無線装置１２は、無線装置２０からの第２の応答信号を受信することで、無線装置２０の先入れ先出しバッファに設定された第２の通信アドレスを含む返信パケットを受信することになる。無線装置１２は、この返信パケットから第２の通信アドレスを取り出して記憶し、第２の通信アドレスにより第２の伝送チャネルを確立する。これにより、無線装置１２と無線装置２０は、第２の伝送チャネルを介してデータ伝送を行うことができる。
【００７７】
また、無線装置１４と無線装置２０がペアリングを行い、無線装置２０は第３の通信アドレスを選択し、第３の通信アドレスにより第３の伝送チャネルを確立する旨を無線装置１４に知らせる。無線装置１４と無線装置２０は、第３の伝送チャネルを介してデータ伝送を行う。本実施例に係る無線装置のペアリング方法では、一つの無線装置２０が複数の無線装置１０、１２、１４と対応し、各無線装置１０、１２、１４とペアリングするための通信アドレス（例えば、第１の通信アドレス、第２の通信アドレス又は第３の通信アドレスなど）を選択して決定するようにしている。
【００７８】
また、無線装置１０と無線装置２０がペアリングを行う時、無線装置２０は通信アドレスを選択して決定する。無線装置１０が第１の通信アドレスを占用した後、無線装置２０と無線装置１２がペアリングを行う時、無線装置２０は占用されていないデータアドレス（例えば、第２の通信アドレス、第３の通信アドレス又は第４の通信アドレスなど）を選択して通信アドレスを決定する。そして、無線装置１２は第２の通信アドレスを占用し、無線装置１４は第３の通信アドレスを占用する。
【００７９】
具体的には、例えばホストコンピューターは、無線キーボード、第１の無線マウス及び第２の無線マウスとペアリングを行う。ホストコンピューターが無線キーボードとペアリングを行う場合、ホストコンピューターは第１の通信アドレスを選択して使用し、無線キーボードと双方向にデータ伝送を行う。より詳細には、ホストコンピューターと無線キーボードとの間で、第１の通信アドレスにより確立された第１の伝送チャネルを介してデータ伝送を双方向に伝送する。一方、ホストコンピューターは、第２の通信アドレスにより確立された第２の伝送チャネルを介して、第１の無線マウスと双方向にデータ伝送を行う。また、ホストコンピューターは、第３の通信アドレスにより確立された第３の伝送チャネルを使用して、第２の無線マウスと双方向にデータ伝送を行う。
【００８０】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【産業上の利用可能性】
【００８１】
本発明に係る無線装置のペアリング方法は、アプリケーションプログラムにより無線装置を駆動することなく、ユーザーがいつでも第１の無線装置のペアリングボタンを押すことによって、第１の無線装置が第１のＲＦ送信強度でペアリング伝送チャネルを介してペアリング信号を第２の無線装置へ伝送し、第２の無線装置が通信アドレスを選択して決定し、そして、ユーザーが第１の無線装置のペアリングボタンを再び押すことでペアリング信号を生成したり第１の無線装置の内部チップにより自動的に再びトリガしてペアリング信号をしたりすると共に、第２の無線装置が伝送した応答信号から通信アドレスを取得するようにしている。したがって本発明は、無線装置間でいつでも迅速にペアリングを行い通信を行う用途に適用できる。
【符号の説明】
【００８２】
１、１ａ  無線装置システム
１０、１２、１４、２０  無線装置
１０２、１２２、１４２、２０２  トランシーバー
１０４、１２４、１４４  ペアリングボタン
【図１】
0005442065.tif 000002
【図２−１】
0005442065.tif 000003
【図２−２】
0005442065.tif 000004
【図３−１】
0005442065.tif 000005
【図３−２】
0005442065.tif 000006
【図４】
0005442065.tif 000007
【図５】
0005442065.tif 000008
【図６】
0005442065.tif 000009